(57)【特許請求の範囲】
【請求項１】
基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号と当該受信信号についての再送信号とを用いて前記復号処理を行なう再送制御機能を具備する移動端末装置において、
該基地局装置から受信された複数の既知信号を基に前記第１のチャネルの受信信号について求められたチャネル推定値を用いて、前記第１のチャネルの受信信号についてのチャネル補償処理を行なうチャネル補償処理部と、
該チャネル補償処理部によるチャネル補償後の前記第１のチャネルの受信信号の復号結果がエラーの場合に、少なくとも前記第１のチャネルの受信信号の受信後に受信される既知信号を含む複数の既知信号を基に前記第１のチャネルの受信信号について求められたチャネル推定値により、前記第１のチャネルの受信信号について、再度、チャネル補償を行なう再チャネル補償処理部とがそなえられたことを特徴とする、移動端末装置。
【請求項２】
前記複数の既知信号を用いて前記第１のチャネルの受信信号についてのチャネル推定値を求めるチャネル推定処理部と、
前記複数の既知信号に、チャネル補償対象の前記第１のチャネルの受信信号の受信後に受信される既知信号が含まれるように、前記第１のチャネルの受信信号を遅延して該再チャネル補償処理部へ該チャネル推定処理部で得られたチャネル推定値とパラレルに入力する遅延処理部とをさらにそなえたことを特徴とする、請求項１記載の移動端末装置。
【請求項３】
該再チャネル補償処理部によるチャネル補償後の前記第１のチャネルの受信信号の復号結果がエラーでない場合に、当該復号結果を用いて前記第２のチャネルの受信信号を復号する第２チャネル復号処理部と、
該第２チャネル復号処理部により復号された前記第２のチャネルの受信信号を前記再送制御に備えてバッファする再送制御バッファとをさらにそなえたことを特徴とする、請求項１又は２に記載の移動端末装置。
【請求項４】
該再チャネル補償処理部による再度のチャネル補償後の前記第１のチャネルの受信信号についての復号結果がエラーであった場合に、その旨を該基地局装置へ送信する第１チャネル非受信通知手段をさらにそなえたことを特徴とする、請求項１〜３のいずれか１項に記載の移動端末装置。
【請求項５】
前記第２のチャネルの受信信号の受信完了から当該第２のチャネルの受信信号についての復号処理が完了するまでの時間が規定時間に定められている場合において、前記規定時間内に、該第２チャネル復号処理部による復号処理が完了すれば、当該復号処理結果の正常又は異常を該基地局装置へ通知する第２チャネル復号結果通知手段をさらにそなえたことを特徴とする、請求項３記載の移動端末装置。
【請求項６】
基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号と当該受信信号についての再送信号とを用いて前記復号処理を行なう再送制御機能を具備する移動端末装置において、
該基地局装置から受信された複数の既知信号を基に前記第１のチャネルの受信信号について求められたチャネル推定値を用いて、前記第１のチャネルの受信信号についてのチャネル補償処理を行なうチャネル補償ステップと、
該チャネル補償ステップによるチャネル補償後の前記第１のチャネルの受信信号の復号結果がエラーの場合に、少なくとも前記第１のチャネルの受信信号の受信後に受信される既知信号を含む複数の既知信号を基に前記第１のチャネルの受信信号について求められたチャネル推定値により、前記第１のチャネルの受信信号について、再度、チャネル補償を行なう再チャネル補償ステップとを有することを特徴とする、移動端末装置におけるチャネル補償方法。
【請求項７】
前記複数の既知信号を用いて前記第１のチャネルの受信信号についてのチャネル推定値を求めるチャネル推定ステップと、
前記複数の既知信号に、チャネル補償対象の前記第１のチャネルの受信信号の受信後に受信される既知信号が含まれるように、前記第１のチャネルの受信信号を遅延する遅延処理ステップとをさらに有するとともに、
該再チャネル補償ステップにおいて、該チャネル推定ステップで得られたチャネル推定値と該遅延処理ステップで遅延された前記第１のチャネルの受信信号をパラレルに受けて前記再度のチャネル補償を行なうことを特徴とする、請求項６記載の移動端末装置におけるチャネル補償方法。
【請求項８】
該再チャネル補償ステップによるチャネル補償後の前記第１のチャネルの受信信号の復号結果がエラーでない場合に、当該復号結果を用いて前記第２のチャネルの受信信号を復号する第２チャネル復号ステップと、
該第２チャネル復号ステップにより復号された前記第２のチャネルの受信信号を前記再送制御に備えてバッファする再送制御バッファステップとをさらに有することを特徴とする、請求項６又は７に記載の移動端末装置におけるチャネル補償方法。
【請求項９】
該再チャネル補償ステップによる再度のチャネル補償後の前記第１のチャネルの受信信号についての復号結果がエラーであった場合に、その旨を該基地局装置へ通知することを特徴とする、請求項６〜８のいずれか１項に記載の移動端末装置におけるチャネル補償方法。
【請求項１０】
前記第２のチャネルの受信信号の受信完了から当該第２のチャネルの受信信号についての復号処理が完了するまでの時間が規定時間に定められている場合において、前記規定時間内に、該第２チャネル復号ステップによる復号処理が完了すれば、当該復号処理結果の正常又は異常を該基地局装置へ通知することを特徴とする、請求項８記載の移動端末装置におけるチャネル補償方法。
【発明の詳細な説明】
【技術分野】
【０００１】
本発明は、移動端末装置及び同装置におけるチャネル補償方法に関し、例えば、無線移動機の伝送方式の一つであるＨＳＤＰＡ（High Speed Downlink Packet Access）伝送方式による通信を行なう装置であって、破棄されるはずの情報を一時的に保存し、再送された情報との双方を用いて復号を行なう機能を有する装置に用いて好適な技術に関する。
【背景技術】
【０００２】
現在、３ＧＰＰ（3rd Generation Partnership Project）で、第３世代移動通信システムの１つの方式であるＷ−ＣＤＭＡ（Wideband-Code Division Multiple Access）方式の標準化のテーマの１つとして、基地局から移動機への方向（ダウンリンク）の通信で最大約１４Ｍｂｐｓの伝送速度を提供するＨＳＤＰＡが規定されている。
ＨＳＤＰＡ伝送方式は、移動機の置かれている受信環境に応じて、後述するHS-PDSCH（High Speed-Physical Downlink Shared Channel）のマルチコード数、変調方式（ＱＰＳＫや１６ＱＡＭ等）、送信ブロックサイズ（ＴＢＳ：Transport Block Size）などを変化させることで、最適な伝送速度を選択して通信を行なう技術である。
【０００３】
即ち、ＨＳＤＰＡは、適応符号化変調方式を採用しており、例えば、ＱＰＳＫ変調方式と１６ＱＡＭ方式とを基地局と移動機との間の無線環境に応じて適応的に切り替えることを特徴としている。
また、ＨＳＤＰＡは、HARQ（Hybrid Automatic Repeat reQuest）と呼ばれる再送制御方式を採用している。このHARQでは、移動局が基地局からの受信データについて誤りを検出した場合に、当該移動局から基地局へ再送信の要求を行なうことで、基地局からデータの再送信が行なわれる。そして、移動局は、既に受信済みのデータと、再送信された受信データとの双方を用いて誤り訂正復号化を行なう。このように、HARQでは、既に受信したデータを有効に利用することで、誤り訂正復号の利得を高め、再送回数を抑えている。
【０００４】
ここで、ＨＳＤＰＡに用いられる主な無線チャネルには、HS-SCCH（High Speed-Shared Control Channel）、HS-PDSCH（High Speed-Physical Downlink Shared Channel）、HS-DPCCH（High Speed-Dedicated Physical Control Channel）がある。
HS-SCCH、HS-PDSCHは、双方とも下り方向（ダウンリンク）の共通チャネルであり、HS-SCCHは、HS-PDSCHにて送信するデータに関する各種パラメータを送信するための制御チャネルである。各種パラメータとしては、例えば、どの変調方式を用いてHS-PDSCHによりデータを送信するかを示す変調タイプ情報や、拡散符号の割当て数（コード数）、送信データに対して施したレートマッチング処理のパターン等の情報が挙げられる。
【０００５】
一方、HS-DPCCHは、移動局から基地局への方向である上り方向（アップリンク）の個別の制御チャネルであり、HS-PDSCHを介して受信したデータの受信可、否に応じてそれぞれACK信号、NACK信号を移動局が基地局に対して送信する場合に用いられる。なお、移動局がデータの受信に失敗した場合（受信データがＣＲＣエラーである場合等）は、NACK信号が移動局から送信されるので、基地局は再送制御を実行することとなる。また、HS-SCCHがＣＲＣエラーの場合は、HS-PDSCHを正常に復号することができないため、自局宛のHS-PDSCH自体を受信しなかったことを示すDTX信号を基地局に送信する。この場合、基地局は再度同じデータを送信する。
【０００６】
その他、HS-DPCCHは、基地局からの受信信号の受信品質〔例えば、信号対干渉比（ＳＩＲ：Signal Interference Ratio）〕を測定した移動機が、その結果をＣＱＩとして基地局に定期的に送信するためにも用いられる（図４参照）。基地局は、受信したＣＱＩにより、下り方向の無線環境の良否を判断し、良好であれば、より高速にデータを送信可能な変調方式等に切り替え、良好でなければ、より低速にデータを送信する変調方式等に適応的に切り替える。
【０００７】
・「チャネル構造」
次に、ＨＳＤＰＡにおけるチャネル構成について説明する。
図４は、ＨＳＤＰＡにおけるチャネル構成を示す図である。なお、Ｗ−ＣＤＭＡでは、符号分割多重方式を採用するため、各チャネルは符号により分離されている。
まず、この図４中に示すチャネルのうち、説明していないチャネルについて簡単に説明する。
【０００８】
CPICH（Common Pilot Channel）およびP-CCPCH（Primary Common Control Physical Channel）は、それぞれ、下り方向の共通チャネルであり、CPICHは、移動機においてチャネル推定、セルサーチ、同一セル内における他の下り物理チャネルのタイミング基準として利用されるチャネルであって、いわゆるパイロット信号（基地局と移動機との間で既知の信号）を送信するためのチャネルであり、P-CCPCHは、報知情報を送信するためのチャネルである。
【０００９】
次に、各チャネルのタイミング関係について説明する。
図４に示すように、各チャネルは、１５個のスロットにより１フレーム（１０ｍｓ）を構成している。先に説明したように、CPICHは、他のチャネルの基準として用いられるため、P-CCPCH及びHS-SCCHのフレームの先頭は、当該CPICHのフレームの先頭と一致している。ここで、HS-PDSCHのフレームの先頭は、HS-SCCHに対して２スロット遅延している。これは、移動機がHS-PDSCHの復調を行なうために必要となる変調タイプ情報や、拡散コード情報を予めHS-SCCHを介して予告しておくためである。
【００１０】
従って、移動機は、HS-SCCHで予告されたこれらの情報に従って、対応する復調方式、逆拡散コードを選択してHS-PDSCHの復調等の処理を実行するのである。また、HS-SCCH、HS-PDSCHは、３スロットで１サブフレームを構成している。以上が、ＨＳＤＰＡのチャネル構成の簡単な説明である。
・「移動機構成」
図５は、ＨＳＤＰＡに準拠した従来の移動機の要部の構成を示す機能ブロック図で、この図５に示す移動機は、例えば、受信機１０１，HS-SCCHチャネル推定フィルタ１０２，HS-SCCHチャネル補償処理部１０３，HS-SCCH復調処理部１０４，HS-SCCH復号処理部１０５，HS-SCCH-CRC演算部１０６，HS-PDSCHシンボルバッファ１０７，HS-PDSCHチャネル推定フィルタ１０８，HS-PDSCHチャネル補償処理部１０９，HS-PDSCH復調処理部１１０，HS-PDSCH復号処理部１１１，再送（HARQ）処理部１１２，再送（HARQ）バッファ１１３，HS-PDSCH-CRC演算部１１４，下り受信タイミング監視部１１５，上り送信タイミング管理部１１６，スケジューリング処理部１１７，符号化処理部１１８，変調処理部１１９及び送信機１２０をそなえて構成されている。
【００１１】
かかる移動機では、受信アンテナ（図示省略）から受信した受信信号が受信機１０１に入力され、当該受信機１０１において、パス検出や逆拡散処理等が行なわれて、CPICH、HS-SCCH、HS-PDSCHの各チャネルが分離される。分離されたCPICHは、HS-SCCHチャネル推定フィルタ１０２及びHS-PDSCHチャネル推定フィルタ１０８にそれぞれ入力される。
HS-SCCHチャネル推定フィルタ１０２及びHS-PDSCHチャネル推定フィルタ１０８では、それぞれ、CPICHにより受信されたパイロット信号を基にHS-SCCH及びHS-PDSCHの各チャネルのチャネル推定値が算出される。
【００１２】
そして、受信機１０１にて分離されたHS-SCCHチャネルは、HS-SCCHチャネル補償処理部１０３にて、HS-SCCHチャネル推定フィルタ１０２により得られたチャネル推定値を用いてHS-SCCHのチャネル補償が行なわれた後、HS-SCCH復調処理部１０４にて復調処理を施され、HS-SCCH復号処理部１０５にて復号処理、HS-SCCH-CRC演算部１０６にてＣＲＣ演算がそれぞれ施される。このHS-SCCH-CRC演算部１０６でＣＲＣがＯＫとなった復号情報には、前述したように変調タイプ情報や、拡散コード情報といったHS-PDSCHの復号に必要な情報が含まれているため、HS-PDSCH復号処理部１１１に供給される。なお、HS-SCCHのＣＲＣ演算結果がＮＧだった場合は、その旨（DTX）がスケジューリング処理部１１７へ通知される。
【００１３】
一方、受信機１０１にて分離されたHS-PDSCHは、HS-PDSCHシンボルバッファ１０７に一旦バッファされて遅延された後、HS-PDSCHチャネル補償処理部１０９にて、HS-PDSCHチャネル推定フィルタ１０８により得られたチャネル推定値を用いてチャネル補償が施され、HS-PDSCH復調処理部１１０にて、復調処理が施され、さらに、HS-PDSCH復号処理部１１１にて、HS-SCCH-CRC演算部１０６からのHS-PDSCHの復号に必要な情報を用いた復号処理が施される。
【００１４】
なお、HS-PDSCHシンボルバッファ１０７を用いてHS-PDSCHシンボルを遅延させるのは、図７により後述するように、あるスロット（シンボル）を復調するには、当該復調対象のスロット（シンボル）を中心とした過去と未来の複数スロット分のCPICHシンボルの平均化処理により算出されるチャネル推定値を用いるのが好ましいためである。
さて、HS-PDSCH復号処理部１１１により復号されたHS-PDSCHシンボルは、HARQ処理部１１２に入力され、HARQに基づく再送合成に備えて、適宜、再送バッファ１１３に保持される。これより、HARQ処理部１１２は、再送時には、HARQバッファ１１３に保持された受信済みのHS-PDSCHシンボルと、再送信されたHS-PDSCHシンボルとを合成してHS-PDSCH-CRC演算部１１４へ入力することになる。
【００１５】
HS-PDSCH-CRC演算部１１４は、HARQ処理部１１２からのHS-PDSCHシンボルについてＣＲＣ演算を施して、ＯＫならACK信号、ＮＧならNACK信号をそれぞれＣＲＣ演算結果としてスケジューリング処理部１１７へ出力する。
スケジューリング処理部１１７では、HS-SCCH-CRC演算部１０６からのDTX、および、HS-PDSCH-CRC演算部１１４からのACK/NACKを、それぞれ、上り送信タイミング管理部１１６からの送信タイミング信号に従ってスケジューリング処理する。即ち、図４中最下段に示すごとく、ACK/NACK(/DTX)がそれぞれHS-PDSCHの受信から約７．５スロット後に送信されるようにスケジューリングを行なう。なお、HS-PDSCHの受信は下り受信タイミング監視部１１５で監視されている。
【００１６】
上述のごとくスケジューリングされた各情報は、符号化処理部１１８にてHS-DPCCHのデータとして符号化された後、変調処理部１１９にて変調されて、送信機１２０からHS-DPCCHで基地局に向けて送信される。基地局は、ACKを受信すれば新規データを送信するが、DTXを受信すればHS-SCCH及びHS-PDSCHの再送処理を行ない、NACKを受信すれば、HS-PDSCHの再送処理を行なう。
【００１７】
・「HARQ処理フロー」
次に、従来技術によるHARQ処理フローについて図６を用いて説明する。
上述したように、移動機は、HS-SCCH復号処理後にHS-SCCHのＣＲＣ演算結果がＮＧならば、基地局にDTXを送信し（ステップＳ１０１のＮＧルートからステップＳ１１０）、HS-SCCHのＣＲＣ演算結果がＯＫならば、新規データか、再送データかの判定を行なう（ステップＳ１０１のＯＫルートからステップＳ１０２）。
【００１８】
その結果、新規データならば、HS-PDSCHの復号処理後に、HS-PDSCHのＣＲＣ演算を行ない（ステップＳ１０２の「新規データ」ルートからステップＳ１０３及びＳ１０４）、その結果がＯＫならば、基地局にACKを送信し（ステップＳ１０３のＯＫルートからステップＳ１０８）、ＣＲＣ演算結果がＮＧならば、基地局にNACKを送信する（ステップＳ１０４のＮＧルートからステップＳ１０９）とともに、HARQ情報をHARQバッファ１１３に格納する。
【００１９】
一方、上記のステップＳ１０２での判定結果が、再送データならば、HARQ処理部１１２において、今回の受信データと、HARQバッファ１１３に格納された前回までの加算データとをHARQ合成し（ステップＳ１０２の「再送データ」ルートからステップＳ１０５）、HS-PDSCH復号処理後に、HS-PDSCHのＣＲＣ演算を行ない（ステップＳ１０６及びＳ１０７）、ＣＲＣ演算結果がＯＫならば、基地局にACKを送信し（ステップＳ１０７のＯＫルートからステップＳ１０８）、ＣＲＣ演算結果がＮＧならば、再度、基地局にNACKを送信する（ステップＳ１０７のＮＧルートからステップＳ１０９）。
【００２０】
このようにして、移動局は、既に受信済みのデータと、再送信された受信データとの双方を用いて誤り訂正復号化を行なうことで、誤り訂正復号の利得を高め、再送回数を抑えることができる。
なお、ＨＳＤＰＡに関連する技術として、下記特許文献１により提案されている技術がある。この特許文献１の技術は、受信品質の良い高品質ビットを選択して再送信号と合成することによりデータチャネルの受信特性を向上させる技術である。
【特許文献１】特開２００４−２４８１９６号公報
【発明の開示】
【発明が解決しようとする課題】
【００２１】
図７は図５に示す移動機でのHS-PDSCHのチャネル推定／補償処理のタイムチャートイメージをシンボル単位で示す図であり、図８は同じく図５に示す移動機でのHS-SCCHのチャネル推定／補償処理のタイムチャートイメージをシンボル単位で示す図である。なお、これらの図７及び図８において、１スロットのシンボル数は＃０〜＃９の１０シンボルとしている。
【００２２】
移動機におけるHS-PDSCHの復調には、あるスロット〔例えば図７のスロット（slot）＃ｎ〕を復調するためには当該スロット＃ｎの時刻に適したチャネル推定値をCPICHシンボルから算出して、HS-PDSCHシンボルの復調処理を行なう必要がある。そのため、スロット＃ｎの時刻に適したチャネル推定値（フィルタ処理）は過去と未来のCPICHシンボル（スロット＃ｎ−１〜スロット＃ｎ＋１）の平均化処理（図７及び図８中のΣが平均化処理をそれぞれ表している）を行なうことで算出するのが好ましいが、この場合、チャネル推定処理が完了するまでに、既にスロット＃ｎ＋１の時刻になってしまう。
【００２３】
そこで、移動機では、図７中に点線２００で示すごとく、スロット＃ｎのHS-PDSCHシンボルを前記HS-PDSCHシンボルバッファ１０７により遅延させて、スロット＃ｎ＋１〜スロット＃ｎ＋２の時刻で復調処理を行なう。
ここで、ＨＳＤＰＡでは、前述したように、HS-PDSCHの受信完了から７．５スロット後に基地局に対してACK/NACK信号を送信しなければならず、また、HS-SCCHを受信してから２スロット後にHS-PDSCHを受信する規格になっているため、ＨＳＤＰＡの最大スループットである約１４Ｍｂｐｓ（ＴＢＳで約２５０００）のデータ信号のHS-PDSCH復号処理をACK/NACK(/DTX)の送信処理までに完了させるためには、HS-SCCHの復調処理と復号処理とを１スロット以内に行なって、HS-PDSCHの復号に必要な情報（HS-PDSCH復号情報）を得なければならない。
【００２４】
そのため、例えばHS-SCCHのあるスロット（例えば図８のスロット＃ｎ）を復調するには、本来ならばHS-PDSCHについての復調処理と同様にHS-SCCHの受信シンボルを１スロット分遅延（バッファ処理）させて、当該受信シンボルを中心とした過去と未来のCPICHシンボル（例えば図８のスロット＃ｎ−１〜スロット＃ｎ＋１のCPICHシンボル)から算出したチャネル推定値を用いて復調処理を行なうのが好ましいが、上述した時間的な制約があるため、HS-SCCHの受信シンボルについては遅延（バッファ処理）させることができない。
【００２５】
そのため、スロット＃ｎのHS-SCCHシンボルを復調するためには、未来のCPICHシンボルを用いることができず、過去に受信したCPICHシンボル（例えば、スロット＃ｎ−２〜スロット＃ｎのCPICHシンボル）のみから算出したチャネル推定値を用いて復調処理を行なわなければならない。
即ち、図７において、スロット＃ｎのシンボル＃０に着目すると、HS-PDSCHのシンボル＃０に対するチャネル推定フィルタ処理は、過去のスロット＃ｎ−１の最初のCPICHシンボルから未来のスロット＃ｎの最後のCPICHシンボルまでを用いることができるため、HS-PDSCHのシンボル＃０の時刻を中心とした過去と未来のCPICHシンボル（スロット＃ｎ−１〜スロット＃ｎ＋１）からチャネル推定値を算出することが可能である。
【００２６】
これに対して、図８に示すように、HS-SCCHのスロット＃ｎのシンボル＃０に対するチャネル推定値フィルタ処理は、１つ前の過去のスロット＃ｎ−１の最後のCPICHシンボルまでに処理を行なわなければならないため、さらに１つ前のスロット＃ｎ−２の最初のCPICHシンボルからスロット＃ｎ−１の最後のCPICHシンボルまでを用いてフィルタ処理（平均化処理）を行なうことになるのである。
【００２７】
そのため、HS-SCCHのスロット＃ｎ−１の最初のシンボルの時刻（シンボル＃０の時刻の１スロット前の時刻）を中心としたチャネル推定値が算出されるため、受信環境によってはシンボル＃０の時刻に適さないチャネル推定値が算出される可能性がある。その結果、高速フェージング等でチャネル推定結果が短時間で変動し、過去のチャネル推定値と現在のチャネル推定値とが異なるような環境下では、HS-SCCHの受信品質がHS-PDSCHの受信品質と比較して劣化する傾向になる。
【００２８】
つまり、前述したようにHS-SCCHには、通常、HS-PDSCHよりも誤り耐性の高いチャネルが割り当てられているから、本来的には、HS-SCCHの方がHS-PDSCHよりも受信品質が良いはずであるが、HS-SCCHの復調にチャネル推定値を求めるのに、前記復調処理の時間的制約があるために、過去のCPICHシンボルしか用いることができず、その結果、高速フェージング等の無線環境によっては、その関係が逆転する場合があるのである。
【００２９】
かかる現象を図９及び図１０を用いて説明する。図９は、フェージング速度に対する固定フォーマット受信時のHS-PDSCHのBLER（Block Error Rate）特性を定量的に示したグラフであり、図１０は、フェージング速度に対するHS-SCCHのBLER特性を定量的に示したグラフである。
図９に示すように、HS-PDSCHのBLERはフェージング速度に対して略一定となっているが、図１０に示すように、HS-SCCHのBLERはフェージング速度が高速になるほど劣化していることが分かる。このように、定量的にフェージング環境等の時系列に位相変動が発生する環境下では、HS-PDSCHの受信品質と比較してHS-SCCHの受信品質が劣化する傾向にある。
【００３０】
そのため、高速フェージング時はHS-PDSCHの受信品質が比較的良好であるにも関わらず、HS-SCCHの受信品質が劣化し、HS-SCCHのＣＲＣチェック結果がＮＧと判定され、HS-PDSCHの復号処理を行なうことができず、基地局にDTXを送信するため、HARQ処理による受信波合成が行なわれない。その結果、受信速度が低下し、移動機のスループットやシステムのスループットが低下してしまう。これは、前記特許文献１の技術においても同じである。
【００３１】
本発明は、このような課題に鑑み創案されたもので、HS-SCCHのエラー率を低減するとともに、HARQに基づく再送回数を削減して、移動機及びシステムのスループットの改善を図ることを目的とする。
【課題を解決するための手段】
【００３２】
上記の目的を達成するために、本発明では、以下の移動端末装置及び同装置におけるチャネル補償方法を用いることを特徴としている。即ち、
（１）本発明の移動端末装置は、基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号と当該受信信号についての再送信号とを用いて前記復号処理を行なう再送制御機能を具備する移動端末装置において、該基地局装置から受信された複数の既知信号を基に前記第１のチャネルの受信信号について求められたチャネル推定値を用いて、前記第１のチャネルの受信信号についてのチャネル補償処理を行なうチャネル補償処理部と、該チャネル補償処理部によるチャネル補償後の前記第１のチャネルの受信信号の復号結果がエラーの場合に、少なくとも前記第１のチャネルの受信信号の受信後に受信される既知信号を含む複数の既知信号を基に前記第１のチャネルの受信信号について求められたチャネル推定値により、前記第１のチャネルの受信信号について、再度、チャネル補償を行なう再チャネル補償処理部とがそなえられたことを特徴とする、移動端末装置。
【００３３】
（２）ここで、本移動端末装置は、前記複数の既知信号を用いて前記第１のチャネルの受信信号についてのチャネル推定値を求めるチャネル推定処理部と、前記複数の既知信号に、チャネル補償対象の前記第１のチャネルの受信信号の受信後に受信される既知信号が含まれるように、前記第１のチャネルの受信信号を遅延して該再チャネル補償処理部へ該チャネル推定処理部で得られたチャネル推定値とパラレルに入力する遅延処理部とをさらにそなえていてもよい。
【００３４】
（３）また、該再チャネル補償処理部によるチャネル補償後の前記第１のチャネルの受信信号の復号結果がエラーでない場合に、当該復号結果を用いて前記第２のチャネルの受信信号を復号する第２チャネル復号処理部と、該第２チャネル復号処理部により復号された前記第２のチャネルの受信信号を前記再送制御に備えてバッファする再送制御バッファとをさらにそなえていてもよい。
【００３５】
（４）さらに、該再チャネル補償処理部による再度のチャネル補償後の前記第１のチャネルの受信信号についての復号結果がエラーであった場合に、その旨を該基地局装置へ送信する第１チャネル非受信通知手段をさらにそなえていてもよい。
（５）また、前記第２のチャネルの受信信号の受信完了から当該第２のチャネルの受信信号についての復号処理が完了するまでの時間が規定時間に定められている場合において、前記規定時間内に、該第２チャネル復号処理部による復号処理が完了すれば、当該復号処理結果の正常又は異常を該基地局装置へ通知する第２チャネル復号結果通知手段をさらにそなえていてもよい。
【００３６】
（６）さらに、本発明の移動端末装置におけるチャネル補償方法は、基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号と当該受信信号についての再送信号とを用いて前記復号処理を行なう再送制御機能を具備する移動端末装置において、該基地局装置から受信された複数の既知信号を基に前記第１のチャネルの受信信号について求められたチャネル推定値を用いて、前記第１のチャネルの受信信号についてのチャネル補償処理を行なうチャネル補償ステップと、該チャネル補償ステップによるチャネル補償後の前記第１のチャネルの受信信号の復号結果がエラーの場合に、少なくとも前記第１のチャネルの受信信号の受信後に受信される既知信号を含む複数の既知信号を基に前記第１のチャネルの受信信号について求められたチャネル推定値により、前記第１のチャネルの受信信号について、再度、チャネル補償を行なう再チャネル補償ステップとを有することを特徴としている。
【００３７】
（７）ここで、本チャネル補償方法は、前記複数の既知信号を用いて前記第１のチャネルの受信信号についてのチャネル推定値を求めるチャネル推定ステップと、前記複数の既知信号に、チャネル補償対象の前記第１のチャネルの受信信号の受信後に受信される既知信号が含まれるように、前記第１のチャネルの受信信号を遅延する遅延処理ステップとをさらに有するとともに、該再チャネル補償ステップにおいて、該チャネル推定ステップで得られたチャネル推定値と該遅延処理ステップで遅延された前記第１のチャネルの受信信号をパラレルに受けて前記再度のチャネル補償を行なうようにしてもよい。
【００３８】
（８）また、本チャネル補償方法は、該再チャネル補償ステップによるチャネル補償後の前記第１のチャネルの受信信号の復号結果がエラーでない場合に、当該復号結果を用いて前記第２のチャネルの受信信号を復号する第２チャネル復号ステップと、該第２チャネル復号ステップにより復号された前記第２のチャネルの受信信号を前記再送制御に備えてバッファする再送制御バッファステップとをさらに有していてもよい。
【００３９】
（９）さらに、該再チャネル補償ステップによる再度のチャネル補償後の前記第１のチャネルの受信信号についての復号結果がエラーであった場合に、その旨を該基地局装置へ通知するようにしてもよい。
（１０）また、前記第２のチャネルの受信信号の受信完了から当該第２のチャネルの受信信号についての復号処理が完了するまでの時間が規定時間に定められている場合において、前記規定時間内に、該第２チャネル復号ステップによる復号処理が完了すれば、当該復号処理結果の正常又は異常を該基地局装置へ通知するようにしてもよい。
【発明の効果】
【００４０】
上記本発明によれば、少なくとも次のような利点ないし効果が得られる。
（１）フェージング環境等の受信波の位相が変動する環境下により、第１のチャネルの受信信号の復号結果がエラーだった場合でも、適切な時刻のチャネル推定値、即ち、少なくとも前記第１のチャネルの受信信号の受信後に受信される既知信号を含む複数の既知信号を基に前記第１のチャネルの受信信号について求められたチャネル推定値により、再度、第１のチャネルについてのチャネル補償処理を行なうので、第１のチャネルのエラー率を低減することができる（つまり、復号成功率を向上できる）。したがって、第２のチャネルの復号成功率も高くすることができ、再送制御に基づく再送回数を減らすことが可能となり、移動端末装置の受信速度を向上して、移動機のスループット、ひいてはシステムのスループットの改善を図ることが可能となる。
【００４１】
（２）また、前記複数の既知信号に、チャネル補償対象の前記第１のチャネルの受信信号の受信後に受信される既知信号が含まれるように、第１のチャネルの受信信号を遅延して再チャネル補償処理部へチャネル推定処理部で得られたチャネル推定値とパラレルに入力するようにすることで、チャネル推定に用いる既知信号の範囲（チャネル推定期間）の制御が可能となり、また、１つのチャネル推定処理部で異なるチャネル推定期間のチャネル推定値を得ることが可能となるので、装置構成の簡素化に大きく寄与する。
【００４２】
（３）また、再度のチャネル補償処理によって第１のチャネルについての復号結果がエラーでなかった場合に、第２のチャネルについての復号処理を行ない、復号した第２のチャネルの受信信号を再送制御に備えてバッファすることができるので、当該再送制御による再送回数を減らすことができる。したがって、移動端末装置の受信速度を向上して、移動端末装置のスループットの改善を図ることができる。
【発明を実施するための最良の形態】
【００４３】
〔Ａ〕概要説明
HS-SCCHのチャネル推定処理とチャネル補償処理において、HS-SCCHシンボルをバッファ処理し、適切な時刻のチャネル推定値（以後、再復調用チャネル推定値ということがある）を算出し、チャネル補償を行なう。そして、復調、復号したHS-SCCHのＣＲＣ演算結果がＮＧだった場合、再復調処理を行なったHS-SCCHで復号処理を行ない、再度、ＣＲＣ演算を行なう。そして、ＣＲＣ演算結果がＯＫとなった場合は、そのHS-SCCHの復号結果でHS-PDSCHの復号処理を行なう。
【００４４】
そして、HS-PDSCHのＴＢＳ（Transport Block Size）が小さく、HS-PDSCHの復号処理が、ACK/NACK送信タイミングに間に合った場合は、通常のACK/NACK送信処理を行ない、HS-PDSCHの復号処理が、ACK/NACK送信タイミングに間に合わなかった場合は、NACKを送信し、復号処理完了後にHARQバッファに格納する。
その結果、HARQ合成により、再送回数を減らすことができるため、受信速度が向上し、移動機のスループットとシステムのスループットの改善を図ることができる。
【００４５】
以下、かかる機能を実現する移動機について、図面を参照しながら詳述する。
〔Ｂ〕一実施形態の説明
図１は本発明の一実施形態に係るＨＳＤＰＡに準拠した移動機の要部構成を示す機能ブロック図で、この図１に示す移動機（移動端末装置）は、例えば、図５にて既述のものとそれぞれ同様の機能を有する、受信機１１，HS-SCCHチャネル推定フィルタ１２，HS-SCCHチャネル補償処理部１３，HS-SCCH復調処理部１４，HS-SCCH復号処理部１５，HS-SCCH-CRC演算部１６，HS-PDSCHシンボルバッファ１７，HS-PDSCHチャネル推定フィルタ１８，HS-PDSCHチャネル補償処理部１９，HS-PDSCH復調処理部２０，HS-PDSCH復号処理部２１，HARQ処理部２２，HARQバッファ２３，HS-PDSCH-CRC演算部２４，下り受信タイミング監視部２５，上り送信タイミング管理部２６，スケジューリング処理部２７，符号化処理部２８，変調処理部２９及び送信機３０をそなえるほか、再復調用HS-SCCHシンボルバッファ３１，再復調用HS-SCCHチャネル補償処理部３２，HS-SCCH再復調処理／復号処理／ＣＲＣ演算部３３，再復調用HS-PDSCH復号処理部３４及び再復調用HS-PDSCH復号処理タイマ３５をそなえて構成されている。
【００４６】
ここで、受信機１１は、受信アンテナ（図示省略）で受信された下り受信信号についてパス検出や逆拡散処理等を施して、下り受信信号をCPICH、HS-SCCH、HS-PDSCHの各チャネルに分離する機能を有するものであり、HS-SCCHチャネル推定フィルタ（チャネル推定処理部）１２は、受信機１１からのCPICHの複数の受信シンボル（既知信号）を用いてHS-SCCH（第１のチャネル）のチャネル補償に用いるチャネル推定値を求めるものである。
【００４７】
HS-SCCHチャネル補償処理部１３は、受信機１１から入力されるHS-SCCHシンボルに対してHS-SCCHチャネル推定フィルタ１２により得られたチャネル推定値を用いてチャネル補償を行なうものであり、HS-SCCH復調処理部１４は、このHS-SCCHチャネル補償処理部１３によるチャネル補償後のHS-SCCHシンボルを復調するものである。
HS-SCCH復号処理部１５は、このHS-SCCH復調処理部１４により復調されたHS-SCCHシンボルを復号するものであり、HS-SCCH-CRC演算部１６は、このHS-SCCH復号処理部１５で復号されたHS-SCCHシンボルについてＣＲＣ演算を施すもので、その演算結果はHS-PDSCH復号処理２１及びHS-SCCH再復調処理／復号処理／ＣＲＣ演算部３３にそれぞれ入力されるようになっている。
【００４８】
HS-PDSCHチャネル推定フィルタ１８は、従来と同様に、受信機１１により分離されたCPICHシンボルからHS-PDSCH（第２のチャネル）用のチャネル推定値を求めるもので、複数のCPICHシンボル（例えば、２スロット分のCPICHシンボル）の平均化処理により当該チャネル推定値を算出するようになっている。
HS-PDSCHシンボルバッファ１７も、従来と同様に、受信機１１により分離されたHS-PDSCHの受信信号（HS-PDSCHシンボル）を一時的に保持して遅延させるもので、HS-PDSCHシンボルのチャネル補償処理に、当該チャネル補償対象のHS-PDSCHシンボルと同タイミングで受信されたCPICHシンボルを中心とした過去と未来の複数のCPICHシンボルの平均化処理により算出されたチャネル推定値が用いられるように、受信HS-PDSCHシンボルをシンボル単位で遅延させるようになっている。
【００４９】
例えば、HS-PDSCHチャネル推定フィルタ１８での平均化処理対象のCPICHシンボル数が２スロット分であれば、HS-PDSCHシンボルバッファ１７は、受信HS-PDSCHシンボルを１スロット分だけ遅延させて、上記平均化処理対象の２スロット分のCPICHシンボルの中心に位置するシンボルタイミングで、チャネル補償対象の受信HS-PDSCHシンボルが後段のHS-PDSCHチャネル補償処理部１９に入力されることになる。
【００５０】
HS-PDSCHチャネル補償処理部１９は、HS-PDSCHシンボルバッファ１７で遅延されたHS-PDSCHシンボルについてHS-PDSCHチャネル推定フィルタ１８により得られたチャネル推定値を用いてチャネル補償処理を行なうことにより、上述のごとくチャネル補償対象のHS-PDSCHシンボルを中心とした過去と未来の複数のCPICHシンボルの平均化処理により算出されたチャネル推定値を用いて当該HS-PDSCHシンボルのチャネル補償処理を行なうものである。
【００５１】
HS-PDSCH復調処理部２０は、上記HS-PDSCHチャネル補償処理部１９によるチャネル補償後のHS-PDSCHシンボルを復調するものであり、HS-PDSCH復号処理部（第２チャネル復号処理部）２１は、このHS-PDSCH復調処理部２０で復調されたHS-PDSCHシンボルを、復調したHS-SCCHがエラーなかった場合（つまり、HS-SCCH-CRC演算部１６によるＣＲＣ演算結果がエラーでなかった場合）に、HS-SCCHの復号結果として含まれる拡散コード情報等のHS-PDSCHの復号に必要な情報（HS-PDSCH復号情報）を用いて復号するものである。
【００５２】
HARQバッファ（再送制御バッファ）２３は、HS-PDSCH復号処理部２１により復号されたHS-PDSCHシンボルをHARQに基づく再送制御に備えてバッファするものであり、HARQ処理部２２は、HS-PDSCH復号処理部２１により復号されたHS-PDSCHシンボルについてHARQに基づく合成処理を行なうもので、当該合成処理に備えてHS-PDSCHシンボルを上記HARQバッファ２３に保持するとともに、このHARQバッファ２３に保持されたHS-PDSCHシンボルと、再送により受信されたHS-PDSCHシンボルとを合成する機能を具備している。
【００５３】
HS-PDSCH-CRC演算部２４は、上記HARQ処理部２２からのHS-PDSCHシンボルについてＣＲＣ演算を施すことによりエラーチェックを行なうもので、その結果（ＯＫ／ＮＧ）が基地局へ送信すべきACK/NACK信号としてスケジューリング処理部２７へ出力されるようになっている。
下り受信タイミング監視部２５は、受信機１１で受信された各チャネルの下り受信タイミングを監視するものであり、上り送信タイミング管理部２６は、この下り受信タイミング監視部２５で監視された下り受信タイミングを基に、ACK/NACK(DTX)が図４により前述したタイミングでそれぞれ基地局へ送信されるよう上り送信タイミングを管理するものである。
【００５４】
スケジューリング処理部２７は、上記上り送信タイミング管理部２６で管理されている送信タイミングに従って、HS-SCCH再復調処理／復号処理／ＣＲＣ演算部３３においてHS-SCCHを再復調、再復号しても正常に復号できなかった（ＣＲＣ演算結果がＮＧだった）場合のDTX、および、HS-PDSCH-CRC演算部２４でのＣＲＣ演算結果（ACK/NACK）の送信タイミングをスケジューリングするものである。
【００５５】
符号化処理部２８は、このスケジューリング処理部２７でスケジューリングされて、順次、入力される情報（ACK/NACK/DTX）をHS-DPCCHのデータとして符号化するものであり、変調処理部２９は、この符号化処理部２８で符号化された情報を変調するものであり、送信機３０は、当該変調信号をHS-DPCCHの無線信号として送信アンテナを通じて基地局に向けて送信するものである。
【００５６】
そして、再復調用HS-SCCHシンボルバッファ３１は、HS-SCCH-CRC演算部１６でのＣＲＣ演算結果がＮＧであった場合の再復調処理のために受信機１１からのHS-SCCHシンボルを保持（バッファ）するものであり、再復調用HS-SCCHチャネル補償処理部３２は、再復調用HS-SCCHシンボルバッファ３１にバッファされたHS-SCCHについて、HS-SCCHチャネル推定フィルタ１２で得られたHS-SCCHのチャネル推定値を用いてチャネル補償を行なうものである。このとき、HS-SCCHシンボルが再復調用HS-SCCHシンボルバッファ３１でバッファ（遅延）処理されることにより、再復調用HS-SCCHチャネル補償処理部（再チャネル補償処理部）３２は、図３により後述するごとく、適切な時刻の（HS-SCCHシンボル受信後の未来のCPICHシンボルを含む複数のCPICHシンボルから算出される）チャネル推定値（再復調用チャネル推定値）を用いてHS-SCCHのチャネル補償を行なうことができるようになっている。
【００５７】
つまり、再復調用HS-SCCHシンボルバッファ３１は、HS-SCCHの再度のチャネル推定に用いる複数のCPICHシンボルに、チャネル補償対象のHS-SCCHシンボルの受信後に受信されるCPICHシンボルが含まれるように、HS-SCCHシンボルを遅延して再復調用HS-SCCHチャネル補償処理部３２へHS-SCCHチャネル推定フィルタ１２で得られたチャネル推定値とパラレルに入力する遅延処理部としての機能を果たすのである。
【００５８】
つまり、この再復調用HS-SCCHシンボルバッファ３１でのバッファ時間をシンボル単位で長くするにつれて、チャネル推定フィルタ範囲がシンボル単位でチャネル補償対象のHS-SCCHシンボルに対して時間的に未来の方向へスライドされることになる。したがって、チャネル補償対象のHS-SCCHシンボルが過去と現在の複数のCPICHシンボルの中心時刻に位置するように、上記バッファ時間を設定してスライドさせることで、１つのHS-SCCHチャネル推定フィルタ１２でHS-SCCHの最初のチャネル補償のためのチャネル推定値と、再度のチャネル補償のための再復調用チャネル推定値とを得ることができ、装置構成の簡素化に大きく寄与している。
【００５９】
HS-SCCH再復調処理／復号処理／ＣＲＣ演算部３３は、上記再復調用HS-SCCHチャネル補償処理部３２によるチャネル補償後のHS-SCCHシンボルについて、HS-SCCH復調処理部１４，HS-SCCH復号処理部１５及びHS-SCCH-CRC演算部１６による各処理とそれぞれ同様の、復調処理，復号処理及びＣＲＣ演算を施すもので、これらの各処理は本例ではHS-SCCH-CRC演算部１６でのＣＲＣ演算結果がＮＧであった場合に動作するようになっている。なお、このHS-SCCH再復調処理／復号処理／ＣＲＣ演算部３３でのＣＲＣ演算結果がＮＧ（エラー）であった場合は、その旨をHS-DPCCHにより基地局装置へ送信すべくDTXがスケジューリング処理部２７へ出力される。
【００６０】
つまり、HS-SCCH再復調処理／復号処理／ＣＲＣ演算部３３は、スケジューリング処理部２７とともに、HS-SCCHについての復号結果がエラーであった場合に、その旨を基地局装置へ通知する第１チャネル非受信通知手段としての機能を果たすのである。
再復調用HS-PDSCH復号処理部３４は、HS-SCCH再復調処理／復号処理／ＣＲＣ演算部３３でのＣＲＣ演算結果がＯＫであり、HS-SCCHの再復調が成功した場合に、その復号情報を用いて、HS-PDSCH復調処理部２０で復調されたHS-PDSCHシンボルを復号するものであり、その復号結果はHARQ処理部２１経由でHARQバッファ２３にバッファされるようになっている。
【００６１】
つまり、本例の移動機は、HS-SCCHが正しく復調、復号できなかった場合に、HS-SCCHチャネル推定フィルタ１２のフィルタ範囲を適正化して適切な時刻のチャネル推定値を用いて、HS-SCCHの再復調、再復号を試み、正しく復号できれば、その復号結果を用いてPDSCHの復号を行ない、その復号結果を再送時の合成処理に備えてHARQバッファ２３にバッファしておくようになっているのである。
【００６２】
なお、再復調用HS-PDSCH復号処理タイマ３５は、ACK/NACK送信処理（タイミング）を制御するもので、例えば、HS-PDSCHのＴＢＳが小さく、再復調、再復号されたHS-SCCHに基づくHS-PDSCHの復号処理が、ACK/NACK送信タイミングに間に合った場合は、通常のACK/NACK送信処理を行ない、当該HS-PDSCHの復号処理が、ACK/NACK送信タイミングに間に合わなかった場合は、NACKを送信するように、スケジューリング処理部２７を制御するようになっている。
【００６３】
つまり、スケジューリング処理部２７は、再復調用HS-PDSCH復号処理タイマ３５とともに、HS-PDSCHの受信完了から当該HS-PDSCHについての復号処理が完了するまでの時間が規定時間に定められている場合において、その規定時間内に、HS-PDSCHの復号処理が完了すれば、当該復号処理結果の正常（ACK）又は異常（NACK）を基地局装置へ通知し、前記規定時間内に、HS-PDSCHの復号処理が完了しない場合は、前記復号処理結果として異常（NACK）の旨を通知する第２チャネル復号結果通知手段としての機能を果たすものである。
【００６４】
以下、上述のごとく構成された本例の移動機の動作について説明する。
まず、本移動機では、受信アンテナ（図示省略）から受信した受信信号が受信機１１に入力されて、当該受信機１１にて、従来と同様に、パス検出や逆拡散処理等が行なわれ、CPICH、HS-SCCH、HS-PDSCHの各チャネルが分離される。分離されたCPICHは、HS-SCCHチャネル推定フィルタ１２及びHS-PDSCHチャネル推定フィルタ１８にそれぞれ入力される。
【００６５】
一方、受信機１１で分離されたHS-SCCHの受信シンボルは、再復調（再復号）処理に備えて再復調用HS-SCCHシンボルバッファ３１にバッファされるとともに、HS-SCCHチャネル補償処理部１３に入力され、当該HS-SCCHチャネル補償処理部１３にて、従来と同様に、HS-SCCHチャネル推定フィルタ１２で得られたチャネル推定値を用いてチャネル補償される（チャネル推定ステップ、チャネル補償ステップ）。
【００６６】
例えば図３に示すように、１スロットあたりのシンボル数を＃０〜＃９の１０シンボル、HS-SCCHのチャネル推定（平均化処理）に用いるCPICHシンボル（チャネル推定フィルタ期間）を２スロット（２０シンボル）分と仮定し、スロット＃ｎのシンボル＃０に着目すると、HS-SCCHのシンボル＃０に対するチャネル推定値は、過去のスロット＃ｎ−２の最初のCPICHシンボルから過去のスロット＃ｎ−１の最後のCPICHシンボルまでの平均化処理（図３中のΣが平均化処理を表している）により求められ、これにより得られたチャネル推定値を用いてHS-SCCHのシンボル＃０に対するチャネル補償が行なわれることになる。なお、以降のスロット＃ｎのHS-SCCHシンボル＃１〜＃９についても、同様に、１シンボルずつずれたチャネル推定フィルタ期間により求められたチャネル推定値を用いてそれぞれチャネル補償される（図３中の矢印１３０参照）。
【００６７】
上述のごとくチャネル補償されたHS-SCCHシンボルは、その後、HS-SCCH復調処理部１３，HS-SCCH復号処理部１５及びHS-SCCH-CRC演算部１６にて、それぞれ、復調処理，復号処理及びＣＲＣ演算が施され、ＣＲＣ演算結果はHS-SCCH再復調処理／復号処理／ＣＲＣ演算部３３と、HS-PDSCH復号処理部３４とに出力される。
また、受信機１１で分離されたHS-PDSCHの受信シンボルも、従来と同様に、HS-PDSCHシンボルバッファ１７にてバッファされた後、HS-PDSCHチャネル補償処理部１９にて、HS-PDSCHチャネル推定フィルタ１８で得られたチャネル推定値を用いてチャネル補償された上で、HS-PDSCH復調処理部２０にて復調され、HS-PDSCH復号処理部２１にて、HS-SCCH-CRC演算部１６で復号されたHS-PDSCHの復号に必要な情報を用いて復号される。
【００６８】
このHS-PDSCH復号処理部２１にて復号されたHS-PDSCHシンボルは、再送時のHARQ合成に備えてHARQ処理部２２経由でHARQバッファ２３にバッファされ、再送されたHS-PDSCHシンボルがHARQ処理部２２で受信された場合は、当該HARQバッファ２３にバッファされたHS-PDSCHシンボルとの合成処理が行なわれる。
HARQ処理部２２の出力は、HS-PDSCH-CRC演算部２４に入力され、当該演算部２４にて、ＣＲＣ演算が施されることによりエラーチェックされて、その結果（ＯＫ／ＮＧ）がACK/NACK信号としてスケジューリング処理部２７へ出力される。
【００６９】
当該ACK/NACK信号は、スケジューリング処理部２７にて、上り送信タイミング管理部２６からの送信タイミングに従って送信タイミングがスケジューリングされて、符号化処理部２８へ出力され、符号化処理部２８にて、HS-DPCCHのデータとして符号化された後、変調処理部２９にて変調された上で、送信機３０によりHS-DPCCHの無線信号として基地局へ向けて送信される。
【００７０】
以上が、HS-SCCHを正常に復調、復号できた場合の処理であるが、HS-SCCHを正常に復調、復号できなかった場合は、HS-SCCHの再復調、再復号処理が行なわれる。即ち、再復調用HS-SCCHチャネル補償処理部３２にて、再復調用HS-SCCHシンボルバッファ３１にバッファ（遅延）されたHS-SCCHシンボルについて、HS-SCCHチャネル推定フィルタ１２で得られるチャネル推定値を用いてチャネル補償処理が施される。
【００７１】
即ち、再復調用HS-SCCHシンボルバッファ３１にて、スロット＃ｎの時刻の受信信号（HS-SCCHシンボル）に適したチャネル推定値算出処理が完了するまで、HS-PDSCHシンボルバッファ１７により、HS-SCCHシンボルのバッファ（遅延）処理を行ない（遅延処理ステップ）、再復調用HS-SCCHチャネル補償処理部３２にて、スロット＃ｎの時刻のHS-SCCHシンボルと、スロット＃ｎの時刻の受信波に適したチャネル推定値とをパラレルに受けて当該HS-SCCHシンボルを当該チャネル推定値でチャネル補償処理を行なう。
【００７２】
より詳細には、例えば図３の場合、スロット＃ｎのシンボル＃０に着目すると、HS-SCCHのシンボル＃０に対するチャネル推定値は、過去のスロット＃ｎ−１の最初のCPICHシンボルからスロット＃ｎのHS-SCCHのシンボル＃０の受信後の未来のスロット＃ｎの最後のCPICHシンボルまでの平均化処理により求められ、これにより得られた再復調用チャネル推定値を用いてHS-SCCHのシンボル＃０に対するチャネル補償が行なわれることになる。なお、以降のスロット＃ｎのHS-SCCHシンボル＃１〜＃９についても、同様に、１シンボルずつずれたチャネル推定フィルタ期間により求められたチャネル推定値を用いてそれぞれチャネル補償される（図３中の矢印３２０参照）。
【００７３】
その後、上述のごとくチャネル補償されたHS-SCCHシンボルは、HS-SCCH再復調処理／復号処理／ＣＲＣ演算部３３にて、再度、復調処理，復号処理及びＣＲＣ演算が施されて、そのＣＲＣ演算結果が再復調用HS-PDSCH復号処理部３４及びスケジューリング処理部２７に出力される。このとき、ＣＲＣ演算結果がＯＫなら、復号されたHS-SCCHシンボルは、再復調用HS-PDSCH復号処理部３４にてHS-PDSCHの復調に用いられ、ＮＧなら、再度の復調、復号処理でもHS-SCCHを正しく復調、復号できなかったので、DTXがスケジューリング処理部２７にてスケジューリングされて基地局へ送信されることになる。
【００７４】
また、HS-SCCH再復調処理／復号処理／ＣＲＣ演算部３３によるＣＲＣ演算結果がＯＫの場合に、再復調用HS-PDSCH復号処理部３４にて復号されたHS-PDSCHシンボルは、再送時のHARQ合成に備えて、HARQ処理部２２経由でHARQバッファ２３にバッファされる。
その後、再送されたHS-PDSCHシンボルとHARQバッファ２３にバッファされたHS-PDSCHシンボルとの合成処理がHARQ処理部２２にて行なわれ、合成後のHS-PDSCHについて、HS-PDSCH-CRC演算部２４にてＣＲＣ演算が施され、その演算結果（ＯＫ／ＮＧ）に応じてACK/NACKがスケジューリング処理部２７へ出力されて、符号化処理部２８，変調処理部２９及び送信機３０を通じてACK/NACKがHS-DPCCHにより基地局へ向けて送信される。
【００７５】
このとき、HS-PDSCH復号処理タイマ３５の機能により、HS-PDSCHのＴＢＳが小さく、再復調、再復号されたHS-SCCHに基づくHS-PDSCHの復号処理が、ACK/NACK送信タイミングに間に合った場合は、通常のACK/NACK送信処理が行なわれ、当該HS-PDSCHの復号処理が、ACK/NACK送信タイミングに間に合わなかった場合は、NACKが送信されることになる。
以上の動作をフローに表すと図２に示すようになる。即ち、移動機は、HS-SCCH-CRC演算部１６によるＣＲＣ演算（エラーチェック）結果がＯＫであれば、HS-PDSCH復号処理部２１にて、HS-PDSCH復調処理部２０で復調されたHS-PDSCHシンボルが新規データか再送データかを判定し（ステップＳ１のＯＫルートからステップＳ２）、新規データであれば、ＣＲＣ演算結果がＯＫであったHS-SCCHシンボルの復号情報を用いてHS-PDSCHシンボルの復号処理を行なう（ステップＳ２の「新規データ」ルートからステップＳ３；第２チャネル復号ステップ）。
【００７６】
そして、復号されたHS-PDSCHシンボルは、HS-PDSCH-CRC演算部２４にてＣＲＣ演算が施されてエラーチェックされ（ステップＳ４）、ＯＫならスケジューリング処理部２７，符号化処理部２８，変調処理部２９及び送信機３０を通じてACKがHS-DPCCHにより基地局に向けて送信される（ステップＳ４のＯＫルートからステップＳ５）。ＮＧであった場合は、NACKがスケジューリング処理部２７，符号化処理部２８，変調処理部２９及び送信機３０を通じてHS-DPCCHにより基地局へ送信されるとともに（ステップＳ４のＮＧルートからステップＳ９）、HARQ合成処理に備えて、復号されたHS-PDSCHシンボルがHARQ情報としてHARQバッファ２３にバッファされる（再送制御バッファステップ）。
【００７７】
その後、NACKを受信した基地局がHARQに基づく再送制御を行なって再送処理を行なうと、移動機では、HS-SCCH-CRC演算部１６でのＣＲＣ演算結果がＮＧとならない限り、HS-PDSCH復調処理部２０で復調されたHS-PDSCHシンボルが再送データであると判定されるので、今回復号されたHS-PDSCHシンボルとHARQバッファ２３にバッファされたHS-PDSCHシンボルとをHARQ処理部２２にて合成処理し（ステップＳ２の「再送データ」ルートからステップＳ６）、HS-PDSCH復号処理部２１によるHS-PDSCHの復号処理とHS-PDSCH-CRC演算部２４によるＣＲＣ演算（エラーチェック）を行なう（ステップＳ７，Ｓ８）。
【００７８】
その結果、ＯＫならACKがスケジューリング処理部２７，符号化処理部２８，変調処理部２９及び送信機３０を通じてHS-DPCCHにより基地局へ送信され（ステップＳ８のＯＫルートからステップＳ５）、ＮＧならNACKがスケジューリング処理部２７，符号化処理部２８，変調処理部２９及び送信機３０を通じてHS-DPCCHにより基地局へ送信される（ステップＳ８のＮＧルートからステップＳ９）。このとき、ＮＧであったHS-PDSCHシンボルの復号結果もHARQバッファ２３にバッファされてHARQ情報が更新される。
【００７９】
ところで、上記ステップＳ１において、HS-SCCHのＣＲＣ演算結果がＮＧで、HS-SCCHを正しく復号できなかった場合は、再復調用HS-SCCHシンボルバッファ３１，再復調用HS-SCCHチャネル補償処理部３２，HS-SCCH再復調処理／復号処理／ＣＲＣ演算部３３及び再復調用HS-PDSCH復号処理部３４により、図３にて上述したHS-SCCHの再復調処理が行なわれる（ステップＳ１のＮＧルートからステップＳ１０；再チャネル補償ステップ）。
【００８０】
そして、HS-SCCH再復調処理／復号処理／ＣＲＣ演算部３３によるＣＲＣ演算結果がＯＫなら、ステップＳ２以降の処理が実行されて（ステップＳ１１のＯＫルート）、再復調処理により正しく復号されたHS-SCCHシンボルを用いたHS-PDSCHシンボルの復号処理が行なわれ、そのＣＲＣ演算結果がＮＧであれば、HS-PDSCHシンボルがHARQバッファ２３にバッファされることになる。
【００８１】
一方、HS-SCCH再復調処理／復号処理／ＣＲＣ演算部３３によるＣＲＣ演算結果がＮＧなら、再復調処理でもHS-SCCHを正しく復号できなかったため、その時点で初めてDTXがスケジューリング処理部２７，符号化処理部２８，変調処理部２９及び送信機３０を通じてHS-DPCCHにより基地局へ送信される（ステップＳ１１のＮＧルートからステップＳ１２）。
【００８２】
以上のように、本例の移動機によれば、HS-SCCHを復調、復号し、ＣＲＣ演算結果がＮＧとなった場合、再度、チャネル推定処理に用いるCPICHシンボルに、チャネル補償対象のHS-SCCHシンボルの受信後に受信される未来のCPICHシンボルが含まれるようにチャネル推定フィルタ期間を適正化して、チャネル推定値の精度を高めた上で、当該チャネル推定値を用いてチャネル補償処理を行なうため、HS-SCCHのＣＲＣ演算結果がＯＫとなる確率が高くなり（HS-SCCHのエラー率を低減でき）、これにより、HS-PDSCHを復号できる確率も高くすることができる。
【００８３】
したがって、HS-PDSCHシンボルがHARQバッファ２３にバッファされる確率も上がり、結果として、HARQに基づく再送回数を減らすことが可能となり、移動機の受信速度を向上して、移動機のスループット、ひいてはシステムのスループットの改善を図ることが可能となる。
なお、本発明は、上述した実施形態に限定されず、本発明の趣旨を逸脱しない範囲で種々変形して実施できることはいうまでもない。
【００８４】
例えば、上述した実施形態では、HS-SCCHの再復調に用いるHS-SCCHのチャネル推定フィルタ範囲を、チャネル補償対象のHS-SCCHシンボルと同時刻に受信されたCPICHシンボルを中心とした過去と現在の複数のCPICHシンボルとしているが、少なくとも、チャネル補償対象のHS-SCCHシンボルの受信後に受信される未来のCPICHシンボルが前記フィルタ範囲に含まれていれば、HS-SCCHのチャネル補償制度を向上することができる。また、上記チャネル補償フィルタ範囲のシンボル数は可変にしてもよい。
【００８５】
〔Ｃ〕付記
（付記１）
基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号と当該受信信号についての再送信号とを用いて前記復号処理を行なう再送制御機能を具備する移動端末装置において、
該基地局装置から受信された複数の既知信号を基に前記第１のチャネルの受信信号について求められたチャネル推定値を用いて、前記第１のチャネルの受信信号についてのチャネル補償処理を行なうチャネル補償処理部と、
該チャネル補償処理部によるチャネル補償後の前記第１のチャネルの受信信号の復号結果がエラーの場合に、少なくとも前記第１のチャネルの受信信号の受信後に受信される既知信号を含む複数の既知信号を基に前記第１のチャネルの受信信号について求められたチャネル推定値により、前記第１のチャネルの受信信号について、再度、チャネル補償を行なう再チャネル補償処理部とがそなえられたことを特徴とする、移動端末装置。
【００８６】
（付記２）
前記複数の既知信号を用いて前記第１のチャネルの受信信号についてのチャネル推定値を求めるチャネル推定処理部と、
前記複数の既知信号に、チャネル補償対象の前記第１のチャネルの受信信号の受信後に受信される既知信号が含まれるように、前記第１のチャネルの受信信号を遅延して該再チャネル補償処理部へ該チャネル推定処理部で得られたチャネル推定値とパラレルに入力する遅延処理部とをさらにそなえたことを特徴とする、付記１記載の移動端末装置。
【００８７】
（付記３）
該再チャネル補償処理部によるチャネル補償後の前記第１のチャネルの受信信号の復号結果がエラーでない場合に、当該復号結果を用いて前記第２のチャネルの受信信号を復号する第２チャネル復号処理部と、
該第２チャネル復号処理部により復号された前記第２のチャネルの受信信号を前記再送制御に備えてバッファする再送制御バッファとをさらにそなえたことを特徴とする、付記１又は２に記載の移動端末装置。
【００８８】
（付記４）
該再チャネル補償処理部による再度のチャネル補償後の前記第１のチャネルの受信信号についての復号結果がエラーであった場合に、その旨を該基地局装置へ送信する第１チャネル非受信通知手段をさらにそなえたことを特徴とする、付記１〜３のいずれか１項に記載の移動端末装置。
【００８９】
（付記５）
前記第２のチャネルの受信信号の受信完了から当該第２のチャネルの受信信号についての復号処理が完了するまでの時間が規定時間に定められている場合において、前記規定時間内に、該第２チャネル復号処理部による復号処理が完了すれば、当該復号処理結果の正常又は異常を該基地局装置へ通知する第２チャネル復号結果通知手段をさらにそなえたことを特徴とする、付記１〜４のいずれか１項に記載の移動端末装置。
【００９０】
（付記６）
該第２チャネル復号結果通知手段が、
前記規定時間内に、該第２チャネル復号処理部による復号処理が完了しない場合は、前記復号処理結果として異常の旨を該基地局装置へ通知すべく構成されたことを特徴とする、付記５記載の移動端末装置。
【００９１】
（付記７）
前記第１のチャネルがＨＳＤＰＡ（High Speed Downlink Packet Access）方式におけるHS-SCCH（High Speed-Shared Control Channel）であり、前記第２のチャネルが前記ＨＳＤＰＡ方式におけるHS-PDCH（High Speed-Physical Downlink Shared Channel）であることを特徴とする、付記１〜６のいずれか１項に記載の移動端末装置。
【００９２】
（付記８）
基地局装置から受信される第１のチャネルの受信信号についてチャネル推定値を用いてチャネル補償処理した後に復号し、その復号結果を用いて該基地局装置から受信される第２のチャネルの受信信号についての復号処理を行なう移動端末装置であって、前記第２のチャネルの受信信号と当該受信信号についての再送信号とを用いて前記復号処理を行なう再送制御機能を具備する移動端末装置において、
該基地局装置から受信された複数の既知信号を基に前記第１のチャネルの受信信号について求められたチャネル推定値を用いて、前記第１のチャネルの受信信号についてのチャネル補償処理を行なうチャネル補償ステップと、
該チャネル補償ステップによるチャネル補償後の前記第１のチャネルの受信信号の復号結果がエラーの場合に、少なくとも前記第１のチャネルの受信信号の受信後に受信される既知信号を含む複数の既知信号を基に前記第１のチャネルの受信信号について求められたチャネル推定値により、前記第１のチャネルの受信信号について、再度、チャネル補償を行なう再チャネル補償ステップとを有することを特徴とする、移動端末装置におけるチャネル補償方法。
【００９３】
（付記９）
前記複数の既知信号を用いて前記第１のチャネルの受信信号についてのチャネル推定値を求めるチャネル推定ステップと、
前記複数の既知信号に、チャネル補償対象の前記第１のチャネルの受信信号の受信後に受信される既知信号が含まれるように、前記第１のチャネルの受信信号を遅延する遅延処理ステップとをさらに有するとともに、
該再チャネル補償ステップにおいて、該チャネル推定ステップで得られたチャネル推定値と該遅延処理ステップで遅延された前記第１のチャネルの受信信号をパラレルに受けて前記再度のチャネル補償を行なうことを特徴とする、付記８記載の移動端末装置におけるチャネル補償方法。
【００９４】
（付記１０）
該再チャネル補償ステップによるチャネル補償後の前記第１のチャネルの受信信号の復号結果がエラーでない場合に、当該復号結果を用いて前記第２のチャネルの受信信号を復号する第２チャネル復号ステップと、
該第２チャネル復号ステップにより復号された前記第２のチャネルの受信信号を前記再送制御に備えてバッファする再送制御バッファステップとをさらに有することを特徴とする、付記８又は９に記載の移動端末装置におけるチャネル補償方法。
【００９５】
（付記１１）
該再チャネル補償処理部による再度のチャネル補償後の前記第１のチャネルの受信信号についての復号結果がエラーであった場合に、その旨を該基地局装置へ通知することを特徴とする、付記８〜１０のいずれか１項に記載の移動端末装置におけるチャネル補償方法。
【００９６】
（付記１２）
前記第２のチャネルの受信信号の受信完了から当該第２のチャネルの受信信号についての復号処理が完了するまでの時間が規定時間に定められている場合において、前記規定時間内に、該第２チャネル復号処理部による復号処理が完了すれば、当該復号処理結果の正常又は異常を該基地局装置へ通知することを特徴とする、付記８〜１１のいずれか１項に記載の移動端末装置におけるチャネル補償方法。
【００９７】
（付記１３）
前記規定時間内に、該第２チャネル復号処理部による復号処理が完了しない場合は、前記復号処理結果として異常の旨を該基地局装置へ通知することを特徴とする、付記１２記載の移動端末装置におけるチャネル補償方法。
（付記１４）
前記第１のチャネルがＨＳＤＰＡ（High Speed Downlink Packet Access）方式におけるHS-SCCH（High Speed-Shared Control Channel）であり、前記第２のチャネルが前記ＨＳＤＰＡ方式におけるHS-PDCH（High Speed-Physical Downlink Shared Channel）であることを特徴とする、付記８〜１３のいずれか１項に記載の移動端末装置におけるチャネル補償方法。
【産業上の利用可能性】
【００９８】
以上詳述したように、本発明によれば、フェージング環境等の受信波の位相が変動する環境下により、第１のチャネルが正しく復調、結果できない場合でも、適切な時刻のチャネル推定値により、再度、第１のチャネルについてのチャネル補償処理を行なうので、第１のチャネルのエラー率を低減することができる。したがって、第２のチャネルの復号成功率も高くすることができ、再送制御に基づく再送回数を減らすことが可能となり、移動端末装置の受信速度を向上して、移動機のスループット、ひいてはシステムのスループットの改善を図ることが可能となるので、移動通信技術分野において極めて有用と考えられる。
【図面の簡単な説明】
【００９９】
【図１】本発明の一実施形態に係るＨＳＤＰＡの移動機の要部構成を示す機能ブロック図である。
【図２】図１に示す移動機におけるHARQ動作を説明するためのフローチャートである。
【図３】図１に示す移動機における再復調用HS-SCCHの復調処理タイムチャートイメージをシンボル単位で示す図である。
【図４】ＨＳＤＰＡにおけるチャネル構成を示す図である。
【図５】ＨＳＤＰＡに準拠した従来の移動機の要部の構成を示す機能ブロック図である。
【図６】図５に示す移動機におけるHARQ動作を説明するためのフローチャートである。
【図７】図５に示す移動機におけるHS-PDSCHのチャネル推定／補償のタイムチャートイメージをシンボル単位で示す図である。
【図８】図５に示す移動機におけるHS-SCCHのチャネル推定／補償のタイムチャートイメージをシンボル単位で示す図である。
【図９】図５に示す移動機のフェージング速度に対する固定フォーマット受信時のHS-PDSCHのBLER特性を定量的に示したグラフである。
【図１０】図５に示す移動機のフェージング速度に対するHS-SCCHのBLER特性を定量的に示したグラフである。
【符号の説明】
【０１００】
１１  受信機
１２  HS-SCCHチャネル推定フィルタ（チャネル推定処理部）
１３  HS-SCCHチャネル補償処理部
１４  HS-SCCH復調処理部
１５  HS-SCCH復号処理部
１６  HS-SCCH-CRC演算部
１７  HS-PDSCHシンボルバッファ
１８  HS-PDSCHチャネル推定フィルタ
１９  HS-PDSCHチャネル補償処理部
２０  HS-PDSCH復調処理部
２１  HS-PDSCH復号処理部（第２チャネル復号処理部）
２２  HARQ処理部
２３  HARQバッファ（再送制御バッファ）
２４  HS-PDSCH-CRC演算部
２５  下り受信タイミング監視部
２６  上り送信タイミング管理部
２７  スケジューリング処理部
２８  符号化処理部
２９  変調処理部
３０  送信機
３１  再復調用HS-SCCHシンボルバッファ（遅延処理部）
３２  再復調用HS-SCCHチャネル補償処理部（再チャネル補償処理部）
３３  HS-SCCH再復調処理／復号処理／ＣＲＣ演算部
３４  再復調用HS-PDSCH復号処理部
３５  再復調用HS-PDSCH復号処理タイマ
【図１】
0004649329.tif 000002
【図２】
0004649329.tif 000003
【図３】
0004649329.tif 000004
【図４】
0004649329.tif 000005
【図５】
0004649329.tif 000006
【図６】
0004649329.tif 000007
【図７】
0004649329.tif 000008
【図８】
0004649329.tif 000009
【図９】
0004649329.tif 000010
【図１０】
0004649329.tif 000011